(57)【要約】【課題】内フラップによって内容物が損傷するのを防ぐことができる包装箱を提供する。【解決手段】包装箱１Ａであって、一対の側壁１１，１２および一対の端壁１３，１４を有する筒状の胴部１０と、側壁１１，１２の下縁部に連設された下側内フラップ２０，２０と、端壁１３，１４の下縁部に連設された下側外フラップ４０，４０と、を備えている。下側内フラップ２０には、折線Ｌ２０が幅方向に形成されており、折線Ｌ２０は、下側内フラップ２０の上面に形成されたハーフカット線、下側内フラップ２０に形成されたリード罫または下側内フラップ２０に形成されたミシン目である。【選択図】図１
2015229500.tif 000002
【特許請求の範囲】
【請求項１】
一対の側壁および一対の端壁を有する筒状の胴部と、
前記側壁の下縁部に連設された内フラップと、
前記端壁の下縁部に連設された外フラップと、を備え、
前記内フラップには、折線が幅方向に形成されており、
前記折線は、前記内フラップの上面に形成されたハーフカット線、前記内フラップに形成されたリード罫または前記内フラップに形成されたミシン目であることを特徴とする包装箱。
【請求項２】
一対の側壁および一対の端壁を有する筒状の胴部と、
前記側壁の上縁部に連設された内フラップと、
前記端壁の上縁部に連設された外フラップと、を備え、
前記内フラップには、折線が幅方向に形成されており、
前記折線は、前記内フラップの下面に形成されたハーフカット線、前記内フラップに形成されたリード罫または前記内フラップに形成されたミシン目であることを特徴とする包装箱。
【請求項３】
前記内フラップには、複数の前記折線が並設されていることを特徴とする請求項１または請求項２に記載の包装箱。
【請求項４】
前記内フラップの先端側の部位は基端側の部位に重ねられており、
前記内フラップの先端部は、前記側壁の上縁部と前記外フラップとの間に挟まれていることを特徴とする請求項２に記載の包装箱。
【発明の詳細な説明】
【技術分野】
【０００１】
本発明は、包装箱に関する。
【背景技術】
【０００２】
包装箱としては、一対の側壁および一対の端壁を有する筒状の胴部と、側壁の下縁部に連設された内フラップと、端壁の下縁部に連設された外フラップと、を備えているものがある（例えば、特許文献１参照）。この包装箱では、外フラップによって、胴部の下側開口部が塞がれている。
【先行技術文献】
【特許文献】
【０００３】
【特許文献１】特開２０００−１２８１４７号公報
【発明の概要】
【発明が解決しようとする課題】
【０００４】
前記した従来の包装箱では、外フラップの上側に内フラップが配置される。この構成では、外フラップを閉じたときに、内フラップが上向きに傾斜した状態となることがある。その状態で野菜や果物等の内容物を包装箱に入れると、内フラップの先端縁部が内容物に当たることで、内容物が損傷する可能性がある。
【０００５】
本発明は、前記した問題を解決し、内フラップによって内容物が損傷するのを防ぐことができる包装箱を提供することを課題とする。
【課題を解決するための手段】
【０００６】
前記課題を解決するため、本発明は、包装箱であって、一対の側壁および一対の端壁を有する筒状の胴部と、前記側壁の下縁部に連設された内フラップと、前記端壁の下縁部に連設された外フラップと、を備えている。前記内フラップには、折線が幅方向に形成されており、前記折線は、前記内フラップの上面に形成されたハーフカット線、前記内フラップに形成されたリード罫または前記内フラップに形成されたミシン目である。
【０００７】
この構成では、折線を境にして、内フラップの先端側の部位を基端側の部位に対して下向きに屈曲させることができる。これにより、包装箱の底部において内フラップの先端部を下向きに傾斜させておくことができるため、包装箱に内容物を入れたときに、内フラップの先端縁部が内容物に当たるのを防ぐことができる。
また、内フラップにハーフカット線、リード罫またはミシン目を形成することで、内フラップを折り曲げ易くなっている。
【０００８】
前記課題を解決するため、本発明の他の構成は、包装箱であって、一対の側壁および一対の端壁を有する筒状の胴部と、前記側壁の上縁部に連設された内フラップと、前記端壁の上縁部に連設された外フラップと、を備えている。前記内フラップには、折線が幅方向に形成されており、前記折線は、前記内フラップの下面に形成されたハーフカット線、前記内フラップに形成されたリード罫または前記内フラップに形成されたミシン目である。
【０００９】
この構成では、折線を境にして、内フラップの先端側の部位を基端側の部位に対して上向きに屈曲させることができる。これにより、包装箱の底部において内フラップの先端部を上向きに傾斜させておくことができるため、包装箱に内容物を入れた状態で、内フラップを閉じたときに、内フラップの先端縁部が内容物に当たるのを防ぐことができる。
また、内フラップにハーフカット線、リード罫またはミシン目を形成することで、内フラップを折り曲げ易くなっている。
【００１０】
前記した包装箱において、前記内フラップに複数の前記折線を並設した場合には、内フラップを複数の箇所において屈曲させることができるため、内フラップの屈曲部位をなだらかにすることができる。
【００１１】
前記した包装箱において、前記内フラップの先端側の部位を基端側の部位に重ねて、前記内フラップの先端部を、前記側壁の上縁部と前記外フラップとの間に挟んでもよい。
【００１２】
この構成では、内フラップの先端部が側壁と外フラップとの間に保持されるため、内フラップが傾斜するのを防ぐことができる。これにより、内フラップの先端縁部が内容物に当たるのを防ぐことができる。
また、側壁の上縁部と外フラップとの間に内フラップの先端部が挟まれることで、包装箱の上面の縁部が補強される。これにより、包装箱の上面に作用した押圧力によって包装箱が変形するのを防ぐことができる。
【発明の効果】
【００１３】
本発明の包装箱では、内フラップの先端部を外フラップに向けて傾斜させておくことができるため、内フラップの先端縁部が内容物に当たるのを防ぐことができ、内フラップによって内容物が損傷するのを防ぐことができる。
【図面の簡単な説明】
【００１４】
【図１】第一実施形態の包装箱を斜め上方から見た斜視図である。
【図２】第一実施形態の包装箱を斜め下方から見た斜視図である。
【図３】第一実施形態の包装箱のブランクシートを示した図である。
【図４】第一実施形態の包装箱を示した側断面図である。
【図５】第一実施形態の変形例を示した図で、下側の内フラップに一本の切れ込みを形成した構成の側断面図である。
【図６】第二実施形態の包装箱を示した図で、（ａ）は斜め上方から見た斜視図、（ｂ）は側断面図である。
【発明を実施するための形態】
【００１５】
本発明の実施形態について、適宜図面を参照しながら詳細に説明する。
なお、各実施形態の説明において、同一の構成要素に関しては同一の符号を付し、重複した説明は省略するものとする。
また、以下の説明において、前後左右方向とは、本実施形態の包装箱を説明する上で便宜上設定したものであり、本発明の包装箱の構成を特定するものではない。
【００１６】
［第一実施形態］
第一実施形態の包装箱１Ａは、図１に示すように、Ａ式の段ボール箱であり、左右一対の側壁１１，１２および前後一対の端壁１３，１４を有する筒状の胴部１０を備えている。第一実施形態の胴部１０は、前後方向よりも左右方向が大きく形成されている。
また、包装箱１Ａは、両側壁１１，１２の下縁部にそれぞれ連設された下側内フラップ２０，２０と、両側壁１１，１２の上縁部にそれぞれ連設された上側内フラップ３０，３０と、を備えている。
また、包装箱１Ａは、両端壁１３，１４の下縁部にそれぞれ連設された下側外フラップ４０，４０と、両端壁１３，１４の上縁部にそれぞれ連設された上側外フラップ５０，５０と、を備えている。
【００１７】
包装箱１Ａでは、両下側内フラップ２０，２０の下側に両下側外フラップ４０，４０が配置される。そして、両下側外フラップ４０，４０を閉じることで、胴部１０の下側開口部が塞がれている。
また、包装箱１Ａでは、両上側内フラップ３０，３０の上側に両上側外フラップ５０，５０が配置される。そして、両上側外フラップ５０，５０を閉じることで、胴部１０の上側開口部が塞がれている。
【００１８】
包装箱１Ａは、図３に示すように、一枚の段ボール製のシートを切り抜いたブランクシートＳを各罫線において谷折りまたは山折りすることで形成される。図３に示すブランクシートＳは内面側が見えるように配置されている。
ブランクシートＳの各罫線は、ブランクシートＳの表面を押し込んで形成された線状の溝である。なお、罫線に切れ込みを形成してもよい。このようにすると、罫線においてブランクシートＳを折り曲げ易くなる。
【００１９】
右側壁１１は、図１に示すように、長方形に形成されており、第一実施形態では上下方向よりも左右方向が大きく形成されている。
右側壁１１の後縁部には、罫線Ｌ１（図３参照）を介して、後端壁１４が連設されている。
後端壁１４は、右側壁１１の後縁部から左方に向けて延びている。後端壁１４は、右側壁１１に対して直角に形成されている。
【００２０】
後端壁１４の左縁部には、罫線Ｌ２（図３参照）を介して、左側壁１２が連設されている。
左側壁１２は、後端壁１４の左縁部から前方に向けて延びている。左側壁１２は、右側壁１１と同じ形状であり、後端壁１４に対して直角に形成されている。
【００２１】
左側壁１２の前縁部には、罫線Ｌ３（図３参照）を介して、前端壁１３が連設されている。
前端壁１３は、左側壁１２の前縁部から右方に向けて延びている。前端壁１３は、後端壁１４と同じ形状であり、左側壁１２に対して直角に形成されている。
【００２２】
前端壁１３の右縁部には、罫線Ｌ４（図３参照）を介して、接合用フラップ１５が連設されている。
接合用フラップ１５は、前端壁１３の右縁部に沿って帯状に形成されている。接合用フラップ１５は、右側壁１１の内面に粘着テープや接着剤によって接合される部位である。
【００２３】
図３に示すブランクシートＳを罫線Ｌ１，Ｌ２，Ｌ３，Ｌ４において折り曲げつつ、図１に示すように、接合用フラップ１５を右側壁１１の内面に接合すると、右側壁１１、後端壁１４、左側壁１２、前端壁１３が角筒状を呈するようになる。
【００２４】
図２に示すように、右側壁１１および左側壁１２の下縁部には、それぞれ罫線Ｌ５（図３参照）を介して、下側内フラップ２０が連設されている。
下側内フラップ２０は、右側壁１１または左側壁１２の下縁部から内側に向けて直角に折り曲げられる。
【００２５】
前端壁１３および後端壁１４の下縁部には、それぞれ罫線Ｌ６（図３参照）を介して、下側外フラップ４０が連設されている。
下側外フラップ４０は、前端壁１３または後端壁１４に対して直角に折り曲げられ、両下側内フラップ２０，２０の下側に配置される。
前後二つの下側外フラップ４０，４０の先端縁部同士を突き合わせることで、胴部１０の下側開口部が塞がれている。
【００２６】
図１に示すように、右側壁１１および左側壁１２の上縁部には、それぞれ罫線Ｌ７（図３参照）を介して、上側内フラップ３０が連設されている。
上側内フラップ３０は、右側壁１１または左側壁１２の上縁部から内側に向けて直角に折り曲げられる。
【００２７】
前端壁１３および後端壁１４の上縁部には、それぞれ罫線Ｌ８（図３参照）を介して、上側外フラップ５０が連設されている。
上側外フラップ５０は、前端壁１３または後端壁１４に対して直角に折り曲げられ、両上側内フラップ３０，３０の上側に配置される。
前後二つの上側外フラップ５０，５０の先端縁部同士を突き合わせることで、胴部１０の上側開口部が塞がれている。
【００２８】
下側内フラップ２０の上面には、図１に示すように、二本の折線Ｌ２０，Ｌ２０（図３参照）が幅方向（前後方向）に直線状に形成されている。両折線Ｌ２０，Ｌ２０は、両側壁１１，１２の下縁部に平行しており、下側内フラップ２０の全幅に亘って形成されている。
【００２９】
折線Ｌ２０は、図４に示すように、下側内フラップ２０の上面側のライナおよびフルート（中芯）を切断したハーフカット線（半切り線）である。この折線Ｌ２０は、下側内フラップ２０を屈曲させるときの境界（折り目）となる部位である。
下側内フラップ２０において、折線Ｌ２０が形成された部位は、下面側のライナのみが連続しているため、折線Ｌ２０に沿って下側内フラップ２０を折り曲げ易くなっている。
【００３０】
下側内フラップ２０は、折線Ｌ２０の切れ込みを開く方向のみに折り曲げることができる。すなわち、下側内フラップ２０は、基端側の部位に対して先端側の部位を下向きのみに屈曲させることができる。
【００３１】
前後二本の折線Ｌ２０，Ｌ２０は、図１に示すように、下側内フラップ２０の突出方向（左右方向）に間隔を空けて並設されている。下側内フラップ２０は、二本の折線Ｌ２０，Ｌ２０を境にして、基端部２１、中間部２２、先端部２３に区画されている。基端部２１、中間部２２、先端部２３は、前後方向（下側内フラップ２０の幅方向）を長手方向とする長方形状に形成されている。
図４に示すように、下側内フラップ２０の突出方向において、基端部２１の短辺は中間部２２の短辺および先端部２３の短辺よりも大きく形成されており、中間部２２の短辺および先端部２３の短辺は同じ大きさに形成されている。
【００３２】
下側内フラップ２０の下側に下側外フラップ４０が配置されると、下側内フラップ２０の基端部２１は上向きに傾斜した状態となる。すなわち、下側内フラップ２０の基端部２１は、側壁１１，１２側の縁部よりも中間部２２側の縁部が上方となるように傾斜することになる。
【００３３】
下側内フラップ２０では、中間部２２と基端部２１との間の折線Ｌ２０において、基端部２１に対して中間部２２が下向きに屈曲している。中間部２２は、下側外フラップ４０の上面に対して平行に配置されている。
【００３４】
また、下側内フラップ２０では、先端部２３と中間部２２との間の折線Ｌ２０において、中間部２２に対して先端部２３が下向きに屈曲している。先端部２３は、中間部２２側の縁部よりも先端縁部が下方となるように傾斜している。下側内フラップ２０の先端縁部は、下側外フラップ４０の上面に当接している。
【００３５】
前記したように、二本の折線Ｌ２０,Ｌ２０において、下側内フラップ２０を屈曲させることで、下側内フラップ２０全体が側面視で上側に凸となるように湾曲している。
【００３６】
上側内フラップ３０の下面には、図２に示すように、折線Ｌ３０（図３参照）が幅方向（前後方向）に直線状に形成されている。折線Ｌ３０は、両側壁１１，１２の上縁部に平行しており、上側内フラップ３０の全幅に亘って形成されている。
【００３７】
折線Ｌ３０は、図４に示すように、上側内フラップ３０の下面側のライナおよびフルート（中芯）を切り込んだハーフカット線（半切り線）である。この折線Ｌ３０は、上側内フラップ３０を上下方向に屈曲させるときの境界となる部位である。
上側内フラップ３０において、折線Ｌ３０が形成された部位は、下面側のライナのみが連続しているため、折線Ｌ３０に沿って上側内フラップ３０を折り曲げ易くなっている。
【００３８】
上側内フラップ３０は、折線Ｌ３０の切れ込みを開く方向のみに折り曲げることができる。すなわち、上側内フラップ３０は、基端側の部位に対して先端側の部位を上向きのみに屈曲させることができる。
【００３９】
上側内フラップ３０は、図１に示すように、折線Ｌ３０を境にして、基端部３１と先端部３２とに区画されている。基端部３１および先端部３２は、前後方向（上側内フラップ３０の幅方向）を長手方向とする長方形状に形成されている。基端部３１の短辺は、先端部３２の短辺よりも大きく形成されている。
【００４０】
図４に示すように、上側内フラップ３０の上側に上側外フラップ５０が配置されると、上側内フラップ３０の基端部３１が下向きに傾斜するようになる。すなわち、上側内フラップ３０の基端部３１は、側壁１１，１２側の縁部よりも先端部３２側の縁部が下方となるように傾斜している。
【００４１】
上側内フラップ３０では、折線Ｌ３０において、基端部３１に対して先端部３２が上向きに屈曲している。すなわち、上側内フラップ３０の先端部３２は、基端部３１側の縁部よりも先端縁部が上方となるように傾斜している。これにより、上側内フラップ３０全体が側面視で下側に凸となるように湾曲している。また、上側内フラップ３０の先端縁部は、上側外フラップ５０の下面に当接している。
【００４２】
以上のような包装箱１Ａでは、図４に示すように、空の状態において下側内フラップ２０の先端部２３を下向きに傾斜させておくことができるため、包装箱１Ａに内容物を入れたときに、下側内フラップ２０の先端縁部が内容物に当たるのを防ぐことができる。
また、包装箱１Ａでは、下側内フラップ２０に二本の折線Ｌ２０，Ｌ２０が形成されており、下側内フラップ２０全体が側面視で上側に凸となるように湾曲しているため、下側内フラップ２０の屈曲部位がなだらかになっている。
したがって、包装箱１Ａに内容物を入れたときに、下側内フラップ２０によって内容物が損傷するのを防ぐことができる。
【００４３】
さらに、第一実施形態では、下側内フラップ２０の中間部２２が包装箱１Ａの底面に平行な平面であるため、包装箱１Ａに内容物を入れたときに、内容物は下側内フラップ２０の平面に載置されることになる。したがって、第一実施形態の包装箱１Ａでは、内容物が損傷するのを確実に防ぐことができる。
【００４４】
包装箱１Ａでは、空の状態において上側内フラップ３０の先端部３２を上向きに傾斜させておくことができる。
また、包装箱１Ａでは、上側内フラップ３０全体が側面視で下側に凸となるように湾曲しているため、上側内フラップ３０の屈曲部位がなだらかになっている。
したがって、包装箱１Ａに内容物を入れた状態で、上側内フラップ３０を閉じたときに、上側内フラップ３０の先端縁部が内容物に当たるのを防ぐことができ、上側内フラップ３０によって内容物が損傷するのを防ぐことができる。
【００４５】
また、包装箱１Ａでは、下側内フラップ２０および上側内フラップ３０にハーフカット線である折線Ｌ２０，Ｌ３０が形成されているため、下側内フラップ２０および上側内フラップ３０を折り曲げ易くなっている。
【００４６】
以上、本発明の第一実施形態について説明したが、本発明は前記第一実施形態に限定されることなく、その趣旨を逸脱しない範囲で適宜に変更が可能である。
下側内フラップ２０および上側内フラップ３０に形成された折線Ｌ２０，Ｌ３０の数は限定されるものではなく、例えば、図５に示すように、下側内フラップ２０に一本の折線を形成してもよい。また、上側内フラップ３０に複数の折線Ｌ３０を形成してもよい。
【００４７】
第一実施形態では、下側内フラップ２０および上側内フラップ３０の両方に折線Ｌ２０，Ｌ３０が形成されているが、下側内フラップ２０および上側内フラップ３０のいずれか一方のみに折線を形成してもよい。
【００４８】
第一実施形態では、下側内フラップ２０および上側内フラップ３０にハーフカット線からなる折線Ｌ２０，Ｌ３０が形成されているが、下側内フラップ２０および上側内フラップ３０にミシン目からなる折線を形成してもよい。なお、ミシン目は、通常下側内フラップ２０および上側内フラップ３０を上下に貫通しているが、貫通させなくてもよい。
【００４９】
また、下側内フラップ２０および上側内フラップ３０に切り込みを断続的に形成し、切り込み同士の間に罫線を形成したリード罫によって折線を形成してもよい。なお、リード罫の切り込みは、通常下側内フラップ２０および上側内フラップ３０を上下に貫通しているが、貫通させなくてもよい。
【００５０】
第一実施形態では、図１および図２に示すように、二つの下側外フラップ４０，４０および二つの上側外フラップ５０，５０が設けられているが、一つの下側外フラップ４０および一つの上側外フラップ５０によって、胴部１０の上下の開口部をそれぞれ塞ぐように構成してもよい。
【００５１】
第一実施形態の包装箱１Ａは段ボール製であるが、各種公知の板紙によって包装箱１Ａを形成してもよい。
【００５２】
［第二実施形態］
次に、第二実施形態の包装箱１Ｂについて説明する。
第二実施形態の包装箱１Ｂは、図６（ａ）および（ｂ）に示すように、第一実施形態の包装箱１Ａ（図１参照）と略同様な構成であり、上側内フラップ３０の構成が異なっている。
【００５３】
第二実施形態の包装箱１Ｂでは、図６（ｂ）に示すように、上側内フラップ３０の突出方向（左右方向）の中央に折線Ｌ３０が形成されている。
折線Ｌ３０は、図６（ａ）に示すように、上側内フラップ３０の幅方向（前後方向）に形成されており、上側内フラップ３０の全幅に亘って直線状に形成されている。
【００５４】
折線Ｌ３０は、図６（ｂ）に示すように、上側内フラップ３０の下面側のライナおよびフルート（中芯）を切り込んだハーフカット線（半切り線）である。上側内フラップ３０において、折線Ｌ３０が形成された部位は、下面側のライナのみが連続している。これにより、上側内フラップ３０を折線Ｌ３０に沿って折り曲げ易くなっている。
【００５５】
上側内フラップ３０は、折線Ｌ３０を境にして、基端部３１と先端部３２とに区画されている。基端部３１および先端部３２は、前後方向（上側内フラップ３０の幅方向）を長手方向とする長方形状に形成されている。基端部３１の短辺と先端部３２の短辺とは同じ大きさに形成されている。
第二実施形態では、基端部３１に対して先端部３２が上側に折り畳まれており、先端部３２が基端部３１の上側に重ねられている。さらに、上側内フラップ３０の先端縁部が側壁１１，１２の上縁部と上側外フラップ５０との間に挟まれている。
【００５６】
第二実施形態の包装箱１Ｂでは、上側内フラップ３０の先端部が側壁１１，１２と上側外フラップ５０との間に保持されるため、上側内フラップ３０が下側（底部側）に傾斜するのを防ぐことができる。
したがって、上側内フラップ３０を閉じたときに、上側内フラップ３０の縁部が内容物に当たるのを防ぐことができ、内容物が損傷するのを防ぐことができる。
【００５７】
また、第二実施形態の包装箱１Ｂでは、側壁１１，１２の上縁部と上側外フラップ５０との間に上側内フラップ３０の先端部が挟まれることで、包装箱１Ｂの上面の縁部が補強される（図６（ａ）参照）。
これにより、包装箱１Ｂに上方から押圧力が作用したときに、包装箱１Ｂが変形するのを防ぐことができる。
【００５８】
以上、本発明の第二実施形態について説明したが、本発明は前記第二実施形態に限定されることなく、第一実施形態と同様に、その趣旨を逸脱しない範囲で適宜に変更が可能である。
【符号の説明】
【００５９】
１Ａ    包装箱（第一実施形態）
１Ｂ    包装箱（第二実施形態）
１０    胴部
１１    右側壁
１２    左側壁
１３    前端壁
１４    後端壁
２０    下側内フラップ
２１    基端部
２２    中間部
２３    先端部
３０    上側内フラップ
３１    基端部
３２    先端部
４０    下側外フラップ
５０    上側外フラップ
Ｌ２０  折線
Ｌ３０  折線
Ｓ      ブランクシート
【図１】
2015229500.tif 000003
【図２】
2015229500.tif 000004
【図３】
2015229500.tif 000005
【図４】
2015229500.tif 000006
【図５】
2015229500.tif 000007
【図６】
2015229500.tif 000008